(57)【要約】【課題】  標記が異なる２種類以上の粘着メモ用紙を手早く探して使用することができるメモ帳を提供することを目的とする。【解決手段】  上下２面を有する下地層１２と、前記下地層１２の前記上面に順次に重なっている複数枚の粘着メモ用紙１１とからなったメモ帳１において、前記各粘着メモ用紙１１は、少なくとも１つの分割線１４になるように少なくとも２つのブロック１６，１７に分割され、該各ブロック１６，１７の上面に、それぞれ標記１６１，１７１が形成され、下面に、それぞれ貼着・剥離可能な粘着剤層１５１，１５２が塗布形成されていることを特徴とするメモ帳１。【選択図】図１
2006035759.tif 000002
【特許請求の範囲】
【請求項１】
上下２面を有する下地層と、前記下地層の前記上面に順次に重なっている複数枚の粘着メモ用紙とからなったメモ帳において、
前記各粘着メモ用紙は、少なくとも１つの分割線になるように少なくとも２つのブロックに分割され、該各ブロックの上面に、それぞれ標記が形成され、下面に、それぞれ貼着・剥離可能な粘着剤層が塗布形成されていることを特徴とするメモ帳。
【請求項２】
前記各粘着メモ用紙の形状は、左右に伸びた長尺形であり、
前記分割線は、１つだけあって、前記左右に伸びた長尺状の粘着メモ用紙を左右２つのブロックに分け、かつ前記左右２つのブロックの中の１つを矢印形になさしめていることを特徴とする請求項１に記載のメモ帳。
【請求項３】
前記各粘着メモ用紙の形状は、上下左右の４辺を有する方形であり、
前記分割線は、１つだけの直線であって、サイズが異なる２つのブロックを左右に分け、かつ前記方形の左右２辺と平行になるように前記各メモ用紙を縦断しており、
前記左右２つのブロックの下面の粘着剤層は、それぞれ、前記分割線と垂直になる２辺の中の１辺の全長に亙って塗布形成されている粘着剤層の対応部分からなっていることを特徴とする請求項１に記載のメモ帳。
【請求項４】
前記分割線は複数あり、この複数の分割線は、いずれも、前記粘着メモ用紙の面上にある同一の点から周縁まで延伸したことを特徴とする請求項１に記載のメモ帳。
【請求項５】
前記各粘着メモ用紙の形状は、上下左右の４辺を有する方形であり、
前記複数の分割線は、
前記同一の点から前記上下２辺と平行になるように前記右辺まで延伸した第１の分割線と、
前記同一の点からそれぞれ前記上下２辺へ延伸しながら前記左辺の方へカーブするように曲がってから、前記上下２辺と平行になるように前記左辺まで延伸した第２及び第３の分割線と、
前記同一の点からそれぞれ前記第２及び第３の分割線の前記カーブに沿って延伸してから、前記左辺の上下２端まで延伸した第４及び第５の分割線との５つからなり前記粘着メモ用紙を前記右辺に沿う右側の２つのブロックと前記左辺に沿う左側の３つのブロックとに分けており、
前記右側の２つのブロックの下面にある粘着剤層は、それぞれ、前記右辺の全長に亙って塗布形成されている第１の粘着剤層の対応部分からなり、
前記左側の３つのブロックの下面にある粘着剤層は、それぞれ、独立に塗布形成されている第２〜第４の粘着剤層からなっていることを特徴とする請求項４に記載のメモ帳。
【請求項６】
前記各粘着メモ用紙の形状はほぼ円形であり、前記同一の点は該円形の円心にあり、また前記複数の分割線はいずれも直線であって前記粘着メモ用紙を複数の扇形ブロックに分けており、
前記複数の扇形ブロックの下面の粘着剤層は、それぞれ、前記円心からの所定範囲内に塗布形成されている粘着剤層の対応部分からなっていることを特徴とする請求項４に記載のメモ帳。
【請求項７】
前記各ブロックの標記は、それぞれ異なるものであることを特徴とする請求項１〜６のいずれかの一項に記載のメモ帳。
【請求項８】
上下２面を有する下地層と、前記下地層の前記上面に順次に重なっている複数枚の粘着メモ用紙とからなったメモ帳において、
前記各粘着メモ用紙は、少なくとも１つの分割線になるように少なくとも２つの方形でないブロックに分割され、該各ブロックの上面に、それぞれ異なる標記が形成され、下面に、それぞれ貼着・剥離可能な粘着剤層が塗布形成されていることを特徴とするメモ帳。
【発明の詳細な説明】
【技術分野】
【０００１】
本発明は、メモ帳に関し、特に複数枚の粘着メモ用紙から積層してなり、かつ各粘着メモ用紙の上面にそれぞれ図形や文字などの標記が印刷されていて、いつもそれから粘着メモ用紙を剥がして付箋として使用することができるメモ帳に関する。
【背景技術】
【０００２】
従来から、複数枚の粘着メモ用紙から剥離可能に重なってなり、かつ各粘着メモ用紙の上面にそれぞれ図形や文字などの標記が印刷されているメモ帳がある。前記標記としては、例えば矢印、疑問符、感嘆符、虫眼鏡、星、花、丸、付言用の枠などの図形、及び、ＳＩＧＮ ＨＥＲＥ（署名）、ＷＡＲＮＩＮＧ（注意）、ＵＲＧＥＮＴ（緊急）、ＴＯ（受取人）ＦＲＯＭ（発送人）などの文字が挙げられる。
【０００３】
このような粘着メモ用紙を、そのまま、または、必要に応じて前記粘着メモ用紙の上面に付言した後、剥がして任意な場所に剥離可能に貼り付けることができる（特許文献はなし。）。
【発明の開示】
【発明が解決しようとする課題】
【０００４】
しかしながら、今までの前記従来のメモ帳は、一冊の中に綴られた全ての粘着メモ用紙上の標記が同じであるので、標記が異なる２種類以上の粘着メモ用紙を使用する必要があれば、２冊以上のメモ帳を予め用意しなければならないので、かなり面倒臭いという欠点がある。
【０００５】
もちろん、標記が異なる色んな種類の粘着メモ用紙を集めて一冊と綴ることも、この欠点の対応策の１つと思われるが、使用しようとする標記を探り出すためにメモ帳を何度もめくらなければならない欠点が出て来る。
【０００６】
本発明は、上記に鑑みてなされたものであって、標記が異なる２種類以上の粘着メモ用紙があるばかりでなく、使用しようとする標記も手早く探しやすいメモ帳を提供することを目的とする。
【課題を解決するための手段】
【０００７】
前記目的を達成するために、発明者は、まず、上下２面を有する下地層と、前記下地層の前記上面に順次に重なっている複数枚の粘着メモ用紙とからなったメモ帳において、前記各粘着メモ用紙は、少なくとも１つの分割線になるように少なくとも２つのブロックに分割され、該各ブロックの上面に、それぞれ標記が形成され、下面に、それぞれ貼着・剥離可能な粘着剤層が塗布形成されていることを特徴とするメモ帳を提供する。
【０００８】
さらに、前記メモ帳に基づき、発明者は、更に、上下２面を有する下地層と、前記下地層の前記上面に順次に重なっている複数枚の粘着メモ用紙とからなったメモ帳において、前記各粘着メモ用紙は、少なくとも１つの分割線になるように少なくとも２つの方形でないブロックに分割され、該各ブロックの上面に、それぞれ異なる標記が形成され、下面に、それぞれ貼着・剥離可能な粘着剤層が塗布形成されていることを特徴とするメモ帳を提供する。
【発明の効果】
【０００９】
この構成によるメモ帳は、一枚の粘着メモ用紙を少なくとも２つのブロックに分け、かつ各ブロックの上面に、異なる図形や文字などの標記が形成され得るので、標記が異なる２種類以上の粘着メモ用紙を使用しようとする際、それらを同一ページから剥がすことで済み、２冊以上のメモ帳を用意する必要がないばかりではなく、同じ一冊の中から異なるページにあるメモ用紙を繰り返してめくる必要もない。
【００１０】
また、本発明のメモ帳は、同一ページから標記が異なる２種類以上の粘着メモ用紙を剥がして使用することができるので、非常に便利である。
【発明を実施するための最良の形態】
【００１１】
以下、本発明のメモ帳の好ましい実施形態を詳しく説明する。なお、以下の説明においては、そのサイズに拘わらず、略同一の機能及び構成を有する構成要素については、同一符号を付し、重複説明は必要な場合にのみ行う。
【００１２】
（第１実施形態）  図１〜図３は、本発明の第１の実施形態のメモ帳を示す。図１は斜視図、図２は上面図、図３は前記メモ帳における各粘着メモ用紙を示す側面図である。
【００１３】
このメモ帳１は、図示のように、上下２面を有する下地層１２と、前記下地層１２の前記上面に順次に重なっている複数枚の粘着メモ用紙１１とからなっている。前記各粘着メモ用紙１１は、少なくとも１つの分割線１４（本実施形態では１つだけである。）になるように少なくとも２つのブロック１７，１６（本実施形態では２つだけである。）に分割され、該各ブロック１７，１６の上面に、それぞれ標記１７１，１６１が形成され、下面に、図２及び図３に示すように、それぞれ貼着・剥離可能な粘着剤層１５２，１５１が塗布形成されている。
【００１４】
もっと詳しく説明すると、前記各粘着メモ用紙１１の形状は、左右に伸びた長尺形であり、前記分割線１４は、前記左右に伸びた長尺状の粘着メモ用紙１１を左右２つのブロック１７，１６に分け、かつ前記右にあるブロック１６を矢印形になさしめている。
【００１５】
前記左右２つのブロック１７，１６の下面の粘着剤層１５２，１５１は、それぞれ、前記ブロック１７の前記分割線（１４）寄りのところから前記ブロック１６の方へ前記分割線１４を超えるまでに延伸するように塗布形成されている粘着剤層１５の対応部分からなっている。
【００１６】
そして、前記左右２つのブロック１７，１６の上面にある標記１７１，１６１は、印刷などにより成形されている。
【００１７】
前記左にあるブロック１７の標記１７１は、方形の中にペンを手に取っている図形を描いているものである。前記右にあるブロック１６の標記１６１は、ＳＩＧＮ ＨＥＲＥの文字である。
【００１８】
前記下地層１２は、厚い紙からなっている。前記粘着メモ用紙１１は、通常の紙からなっているが、プラスチック製の透明なものを使用してもよい。プラスチック製の透明なものを使用しようとすれば、その上面を、粗面化によって印刷や書き込み可能になさしめることが好ましい。
【００１９】
それにより、そのまま、または、必要に応じて前記ブロック１７やブロック１６の上面に文字などをつけた後、前記分割線に沿って引き裂きながら前記メモ帳から剥がして任意な場所に剥離可能に貼り付けることができる。
【００２０】
（第２実施形態）  図４は、本発明の第２の実施形態のメモ帳を示す斜視図である。本実施形態において、前記各粘着メモ用紙１１の形状は、上下左右の４辺１１１〜１１４を有する正方形であり、前記分割線１４は、１つだけの直線であって、サイズが異なる２つのブロック１７，１６を左右に分け、かつ前記正方形の左右２辺１１３，１１４と平行になるように前記各メモ用紙１１を縦断している。
【００２１】
前記左右２つのブロック１７，１６の下面の粘着剤層１５２，１５１は、それぞれ、前記上辺１１１の全長に亙って塗布形成されている粘着剤層１５の対応部分からなっている。
【００２２】
前記左にあるブロック１７の面積は、前記右にあるブロック１６より小さく構成されている。
【００２３】
前記左にあるブロック１７の標記１７１は、矢印である。前記右にあるブロック１６の標記１６１は、虫眼鏡の図形である。
【００２４】
前記第２の実施形態のメモ帳を本２００に使用する時、図５に示すように、前記右にあるブロック１６をある文章の上に貼り付けて該文章を強調し、前記左にあるブロック１７を、該文章を含んだページ上に貼り付けることができる。それにより、図６に示すように、本を閉めても、前記ブロック１７の標記１７１をはっきり見ることができるので、前記ページまで速くめくることができる。
【００２５】
（第３実施形態）  図７は、本発明の第３の実施形態のメモ帳を示す斜視図である。本実施形態において、前記分割線１４は複数あり、この複数の分割線１４は、いずれも、前記粘着メモ用紙１１の面上にある同一の点Ｏから周縁まで延伸してなる。
【００２６】
前記複数の分割線１４は、前記同一の点Ｏから前記上下２辺１１１，１１２と平行になるように前記右辺１１４まで延伸した第１の分割線１４１と、前記同一の点Ｏからそれぞれ前記上下２辺１１１，１１２へ延伸しながら前記左辺１１３の方へカーブするように曲がってから、前記上下２辺１１１，１１２と平行になるように前記左辺１１３まで延伸した第２及び第３の分割線１４２，１４３と、前記同一の点Ｏからそれぞれ前記第２及び第３の分割線１４２，１４３の前記カーブに沿って延伸してから、前記左辺１１３の上下二端まで延伸した第４及び第５の分割線１４４，１４５との５つからなり、前記粘着メモ用紙１１を前記右辺１１４に沿う右側の２つのブロック１６，１７と前記左辺１１３に沿う左側の３つのブロック１８，１９，２０とに分けている。
【００２７】
前記右側の２つのブロック１６，１７の下面にある粘着剤層１５１Ａ，１５２Ａは、それぞれ、前記右辺１１４の全長に亙って塗布形成されている第１の粘着剤層１５Ａの対応部分からなり、前記左側の３つのブロック１８，１９，２０の下面にある粘着剤層は、それぞれ、独立して塗布形成されている第２〜第４の粘着剤層１５Ｂ，１５Ｃ，１５Ｄからなっている。
【００２８】
前記右側の２つのブロック１６，１７の標記１６１，１７１として、それぞれ感嘆符及びＵＲＧＥＮＴの文字、並びに黒いフレームの中にＴＯ及びＦＲＯＭが書いてある。前記左側の３つのブロック１８，１９，２０の標記１８１，１９１，２０１は、矢印及びＲＳＶＰの文字、疑問符、矢印及びＷＡＲＮＩＮＧの文字である。
【００２９】
（第４実施形態）  図８は、本発明の第４の実施形態のメモ帳を示す斜視図である。本実施形態において、前記各粘着メモ用紙１１の形状はほぼ円形であり、前記同一の点Ｏは該円形の円心にあり、また前記複数分割線１４はいずれも直線であって前記粘着メモ用紙１１を４５度の等角距離で４つの扇形ブロック１６〜１９に分けており、前記４つの扇形ブロック１６〜１９の下面の粘着剤層１５１〜１５４は、それぞれ、前記円心Ｏからの所定範囲内に塗布形成されている粘着剤層１５の対応部分からなっている。
【００３０】
前記４つの扇形ブロック１６〜１９の標記１６１〜１９１として、それぞれ丸のなかに矢印、星、感嘆符及び疑問符の１つを書いている。
【産業上の利用可能性】
【００３１】
上記のように、本発明のメモ帳は、各粘着メモ用紙を前記第２の実施形態のように少なくとも２つの方形ブロックに分割してもよく、前記第１の実施形態、第３の実施形態及び第４の実施形態のように、少なくとも２つの方形でないブロックに分割してもよい。
【００３２】
また、本発明のメモ帳は、同じ一冊のメモ帳の同一ページで標記が異なる２種類以上の粘着メモ用紙を使用することができるので、非常に便利である。
【００３３】
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【００３４】
例えば、前記第１〜第４の実施形態において前記一枚の粘着メモ用紙の複数のブロックの上面に形成されている標記が異なっているが、それに限らず、複数のブロックの中の一部が同じであってもよい。
【図面の簡単な説明】
【００３５】
【図１】本発明の第１の実施形態のメモ帳を示す斜視図である。
【図２】前記第１の実施形態の上面図である。
【図３】前記第１の実施形態のメモ帳における各粘着メモ用紙を示す側面図である。
【図４】本発明の第２の実施形態のメモ帳を示す斜視図である。
【図５】前記第２の実施形態の使用状態を示す説明図である。
【図６】前記第２の実施形態の使用状態を示す説明図である。
【図７】本発明の第３の実施形態のメモ帳を示す斜視図である。
【図８】本発明の第４の実施形態のメモ帳を示す斜視図である。
【符号の説明】
【００３６】
１  メモ帳
１１  粘着メモ用紙
１１１〜１１４  上下左右４辺
１２  下地層
１４，１４１〜１４５  分割線
１５，１５１〜１５４，１５Ａ〜１５Ｄ，１５１Ａ，１５２Ａ  粘着剤層
１６〜２０  ブロック
１６１〜２０１  標記
２００  本
【図１】
2006035759.tif 000003
【図２】
2006035759.tif 000004
【図３】
2006035759.tif 000005
【図４】
2006035759.tif 000006
【図５】
2006035759.tif 000007
【図６】
2006035759.tif 000008
【図７】
2006035759.tif 000009
【図８】
2006035759.tif 000010